(57)【特許請求の範囲】
【請求項１】
商用電源からの交流電圧を倍電圧整流回路により昇圧して陰電位を発生させ、この陰電位を電床帯に与えて治療を行う陰電位治療器において、
前記倍電圧整流回路は、複数のダイオードを同極方向に直列に接続し、この直列回路の負極側端を形成するダイオードのカソードを前記商用電源への接続端子の一方に接続したダイオード回路を備え、前記ダイオード回路の負極側端を形成するダイオードのアノードと次のダイオードのカソードとの接続点と前記商用電源への接続端子の他方との間にコンデンサを接続し、さらに後段の各ダイオードの接続点と前記商用電源への接続端子の一方及び他方との間にそれぞれコンデンサを交互に接続し、前記ダイオード回路の正極側端を形成するダイオードのアノードと前記商用電源への接続端子の他方との間にコンデンサを接続するとともに前記ダイオード回路の正極側端を形成するダイオードのアノードと前記商用電源への接続端子の一方との間にコンデンサを接続し、前記商用電源への接続端子のいずれの側が接地されても常に脈流の陰電位を発生することを特徴とする陰電位治療器。
【発明の詳細な説明】
【０００１】
【発明の属する技術分野】
本発明は、倍電圧整流回路を使用して電床帯に与える陰電位を発生させる陰電位治療器に関する。
【０００２】
【従来の技術】
陰電位治療器は、電床帯に例えばマイナス数百ボルトの陰電位を与えて治療効果を発揮する治療器であり、倍電圧整流回路を使用して陰電位を発生させるようになっている。
【０００３】
このような陰電位治療器に使用される倍電圧整流回路は、図６に示すように、ダイオード１ａ，１ｂ，１ｃ，１ｄ，１ｅを同極方向に直列に接続したダイオード回路を設け、このダイオード回路の負極側端を形成するダイオード１ａのカソードを商用電源２に接続するプラグなどの接続端子６ａ，６ｂの一方６ａに接続している。
【０００４】
そして、ダイオード１ａと１ｂの接続点と接続端子の他方６ｂとの間にコンデンサ３ａを接続し、ダイオード１ｂと１ｃの接続点と接続端子の一方６ａとの間にコンデンサ３ｂを接続し、ダイオード１ｃと１ｄの接続点と接続端子の他方６ｂとの間にコンデンサ３ｃを接続し、ダイオード１ｄと１ｅの接続点と接続端子の一方６ａとの間にコンデンサ３ｄを接続し、さらに、ダイオード回路の正極側端を形成するダイオード１ｅのアノードと接続端子の他方６ｂとの間にコンデンサ３ｅを接続している。そして、ダイオード１ｅのアノードを出力端子４に接続し、この出力端子４から電床帯５に所定の陰電位を与えるようになっている。
【０００５】
このような倍電圧整流回路は、商用電源２に接続する場合には商用電源のコンセントに接続端子６ａ，６ｂを接続することになるが、商用電源２はいずれかの端子が接地されており、従って、接続端子６ａ，６ｂの接続の向きにより、図７の(a) に示すように接続端子６ｂ側が接地されたり、図７(b) に示すように接続端子６ａ側が接地されたりする。
【０００６】
図７の(a) に示すように接続端子６ｂ側が接地された状態で、商用電源２から最大値１４１Ｖ（実効値１００Ｖ）の交流電圧波形が入力されると、ダイオード１ａのカソード点での電圧波形Ｖ11は図８に示すように電源電圧そのままであるが、ダイオード１ａと１ｂとの接続点での電圧波形Ｖ12、ダイオード１ｂと１ｃとの接続点での電圧波形Ｖ13、ダイオード１ｃと１ｄとの接続点での電圧波形Ｖ14、ダイオード１ｄと１ｅとの接続点での電圧波形Ｖ15及び出力端子４での電圧波形Ｖ16は、それぞれ図９に示すようになる。
【０００７】
また、図７の(b) に示すように接続端子６ａ側が接地された状態で、商用電源２から最大値１４１Ｖ（実効値１００Ｖ）の交流電圧波形が入力されると、ダイオード１ａのカソード点での電圧波形Ｖ21は図８に示すように電源電圧そのままであるが、ダイオード１ａと１ｂとの接続点での電圧波形Ｖ22、ダイオード１ｂと１ｃとの接続点での電圧波形Ｖ23、ダイオード１ｃと１ｄとの接続点での電圧波形Ｖ24、ダイオード１ｄと１ｅとの接続点での電圧波形Ｖ25及び出力端子４での電圧波形Ｖ26は、それぞれ図１０に示すようになる。
【０００８】
【発明が解決しようとする課題】
ところで、電気機器における電位状態を検知する電位検知器が市販されており、この市販されている電位検知器はほとんどが脈流電位を検知するものであり、このような電位検知器を使用して陰電位治療器の電床帯５の電位検知が行われると、図７の(b)のように接続端子６ａ側が接地されている場合には電床帯５には脈流電圧波形Ｖ26が印加されているので検知されるが、図７の(a)のように接続端子６ｂ側が接地されている場合には電床帯５には脈流のない電圧波形Ｖ16が印加されているので検知できないという不都合が生じる。このような不都合が生じると故障と誤解されるおそれがある。
【０００９】
そこで請求項１記載の発明は、商用電源に倍電圧整流回路の接続端子を接続するときに、接地側が接続端子の何れの側になっても出力端子から電床帯に常に脈流の陰電位を与えることができる陰電位治療器を提供する。
【００１０】
【課題を解決するための手段】
本発明は、商用電源からの交流電圧を倍電圧整流回路により昇圧して陰電位を発生させ、この陰電位を電床帯に与えて治療を行う陰電位治療器において、倍電圧整流回路は、複数のダイオードを同極方向に直列に接続し、この直列回路の負極側端を形成するダイオードのカソードを商用電源への接続端子の一方に接続したダイオード回路を備え、ダイオード回路の負極側端を形成するダイオードのアノードと次のダイオードのカソードとの接続点と商用電源への接続端子の他方との間にコンデンサを接続し、さらに後段の各ダイオードの接続点と商用電源への接続端子の一方及び他方との間にそれぞれコンデンサを交互に接続し、ダイオード回路の正極側端を形成するダイオードのアノードと商用電源への接続端子の他方との間にコンデンサを接続するとともにダイオード回路の正極側端を形成するダイオードのアノードと商用電源への接続端子の一方との間にコンデンサを接続し、商用電源への接続端子のいずれの側が接地されても常に脈流の陰電位を発生することにある。
【００１１】
【発明の実施の形態】
本発明の実施の形態を図面を参照して説明する。
図１は陰電位治療器の全体構成を示す斜視図で、導電性を有する不織布等からなる電床帯１１及び複数のマッサージ用空気袋１２を装着した布団１３とこの布団１３の電床帯１１及び空気袋１２を駆動制御する制御装置１４からなり、前記布団１３と制御装置１４を接続コード１５と複数の給気ホース１６で接続している。すなわち、前記布団１３及び制御装置１４にはそれぞれコネクタ１７，１８とジョイント１９，２０が設けられ、この各コネクタ１７，１８間に前記接続コード１５を接続するとともに各ジョイント１９，２０間に前記給気ホース１６を接続している。
【００１２】
前記布団１３のコネクタ１７には前記電床帯１１からのリード線２１が接続され、ジョイント１９には前記各空気袋１２からのエアー配管２２が接続されている。前記制御装置１４は前記電床帯１１に陰電位を与える駆動回路や前記空気袋１２への空気を給排気するポンプやこのポンプを駆動制御する制御回路等を収納し、電源プラグ２３を商用電源のコンセントに差込み、前面に設けた操作部１４ａを操作することで前記電床帯１１を駆動したり、前記各空気袋１２に同時に又は個々に空気を給排気してこの各空気袋１２を選択的に膨張、収縮させるようになっている。
【００１３】
前記電床帯１１に陰電位を与える駆動回路は倍電圧整流回路からなり、この倍電圧整流回路は、図２に示すように、ダイオード３１ａ，３１ｂ，３１ｃ，３１ｄ，３１ｅを同極方向に直列に接続したダイオード回路を設け、このダイオード回路の負極側端を形成する前記ダイオード３１ａのカソードを商用電源３２に接続する前記プラグ２３の接続端子３６ａ，３６ｂの一方３６ａに接続している。前記ダイオード３１ａと３１ｂの接続点と接続端子の他方３６ｂとの間にコンデンサ３３ａを接続し、前記ダイオード３１ｂと３１ｃの接続点と接続端子の一方３６ａとの間にコンデンサ３３ｂを接続し、前記ダイオード３１ｃと３１ｄの接続点と接続端子の他方３６ｂとの間にコンデンサ３３ｃを接続し、前記ダイオード３１ｄと３１ｅの接続点と接続端子の一方３６ａとの間にコンデンサ３３ｄを接続し、さらに、ダイオード回路の正極側端を形成する前記ダイオード３１ｅのアノードと接続端子の一方３６ａ及び他方３６ｂとの間にそれぞれコンデンサ３３ｅ，３３ｆを接続している。
【００１４】
そして、前記ダイオード３１ｅのアノードを出力端子３４に接続し、この出力端子３４から前記コネクタ１８、接続コード１５、コネクタ１７及びリード線２１を介して前記電床帯１１に所定の陰電位を与えるようになっている。
【００１５】
この倍電圧整流回路において、商用電源３２のコンセントに電源プラグ２３を接続する場合、電源プラグ２３の向きにより図３の(a) に示すように接続端子３６ｂ側が接地されたり、図３(b) に示すように接続端子３６ａ側が接地されたりする。
【００１６】
図３の(a) に示すように接続端子３６ｂ側が接地された状態で、商用電源３２から最大値１４１Ｖ（実効値１００Ｖ）の交流電圧波形が入力されると、ダイオード３１ａのカソード点での電圧波形Ｖ11は前述した図８に示すように電源電圧そのままであるが、ダイオード３１ａと３１ｂとの接続点での電圧波形Ｖ12、ダイオード３１ｂと３１ｃとの接続点での電圧波形Ｖ13、ダイオード３１ｃと３１ｄとの接続点での電圧波形Ｖ14、ダイオード３１ｄと３１ｅとの接続点での電圧波形Ｖ15及び出力端子３４での電圧波形Ｖ16は、それぞれ図４に示すようになる。すなわち、電床帯１１に印加する陰電位は電圧波形Ｖ16により−６００Ｖを中心に振動する脈流電位となる。
【００１７】
また、図３の(b) に示すように接続端子３６ａ側が接地された状態で、商用電源３２から最大値１４１Ｖ（実効値１００Ｖ）の交流電圧波形が入力されると、ダイオード３１ａのカソード点での電圧波形Ｖ21は前述した図８に示すように電源電圧そのままであるが、ダイオード３１ａと３１ｂとの接続点での電圧波形Ｖ22、ダイオード３１ｂと３１ｃとの接続点での電圧波形Ｖ23、ダイオード３に倍電圧整流１ｃと３１ｄとの接続点での電圧波形Ｖ24、ダイオード３１ｄと３１ｅとの接続点での電圧波形Ｖ25及び出力端子３４での電圧波形Ｖ26は、それぞれ図５に示すようになる。すなわち、電床帯１１に印加する陰電位は電圧波形Ｖ26により、この場合も−６００Ｖを中心に振動する脈流電位となる。
【００１８】
そして、陰電位治療では、電床帯１１への陰電位の印加は通常１時間程度行われ、肩凝り、頭痛、不眠症、慢性便秘などの治療に効果を発揮する。
【００１９】
このように商用電源３２のコンセントに対し、制御装置１４の電源プラグ２３をどの向きで差込んでも、すなわち、接続端子３６ａ，３６ｂの接地側が何れになっても、倍電圧整流回路から電床帯１１に与えられる陰電位は常に脈流電位となるので、市販されている脈流電位を検知する電位検知器を使用して電床帯１１の電位状態を調べる場合に常に電位検知が行われることになる。
【００２０】
なお、倍電圧整流回路の段数はこの実施の形態に限定するものでないのは勿論である。
【００２１】
【発明の効果】
以上詳述したように、請求項１記載の発明によれば、商用電源に倍電圧整流回路の接続端子を接続するときに、接地側が接続端子の何れの側になっても出力端子から電床帯に常に脈流の陰電位を与えることができる。
【図面の簡単な説明】
【図１】本発明の実施の形態における陰電気治療器の全体構成を示す斜視図。
【図２】同実施の形態における倍電圧整流回路の回路構成図。
【図３】同倍電圧整流回路における異なる接地状態を示す回路図。
【図４】同倍電圧整流回路の１つの接地状態における各点の電圧波形を示す波形図。
【図５】同倍電圧整流回路の他の接地状態における各点の電圧波形を示す波形図。
【図６】従来の陰電気治療器に使用する倍電圧整流回路の回路構成図。
【図７】同倍電圧整流回路における異なる接地形態を示す回路図。
【図８】商用電源の電圧波形を示す波形図。
【図９】同倍電圧整流回路の１つの接地状態における各点の電圧波形を示す波形図。
【図１０】同倍電圧整流回路の他の接地状態における各点の電圧波形を示す波形図。
【符号の説明】
１１…電床帯
１４…制御装置
３１ａ〜３１ｅ…ダイオード
３２…商用電源
３３ａ〜３３ｆ…コンデンサ
３６ａ，３６ｂ…接続端子
【図１】
0003637185.tif 000002
【図２】
0003637185.tif 000003
【図３】
0003637185.tif 000004
【図４】
0003637185.tif 000005
【図５】
0003637185.tif 000006
【図６】
0003637185.tif 000007
【図７】
0003637185.tif 000008
【図８】
0003637185.tif 000009
【図９】
0003637185.tif 000010
【図１０】
0003637185.tif 000011